(57)【要約】【課題】  分散配置された各装置の情報を一画面で把握可能で発生イベントを容易に認識することが可能な監視システムを実現する。【解決手段】  ネットワーク上に複数のネットワークカメラ、画像記録装置及びログ管理装置を分散配置して画像監視を行う監視システムにおいて、画像を撮影する複数のネットワークカメラと、複数のセンサが接続されると共にネットワークカメラで撮影された画像を収集し記録する画像記録装置と、ログを管理するログ管理装置と、表示画面を画像コンテンツ切替領域、コンテンツ表示用メニュー領域及びコンテンツ表示領域の３つの領域に分割すると共に、画像コンテンツ切替領域に表示可能なコンテンツの一覧を、コンテンツ表示用メニュー領域にコンテンツの表示方法の一覧をそれぞれ表示させ、選択されたコンテンツ及び表示方法でコンテンツ表示領域にコンテンツを表示させる統括コンソールとを設ける。【選択図】                    図１
2005129999.tif 000002
【特許請求の範囲】
【請求項１】
ネットワーク上に複数のネットワークカメラ、画像記録装置及びログ管理装置を分散配置して画像監視を行う監視システムにおいて、
画像を撮影する複数のネットワークカメラと、
複数のセンサが接続されると共に前記ネットワークカメラで撮影された画像を収集し記録する画像記録装置と、
ログを管理するログ管理装置と、
表示画面を画像コンテンツ切替領域、コンテンツ表示用メニュー領域及びコンテンツ表示領域の３つの領域に分割すると共に、前記画像コンテンツ切替領域に表示可能なコンテンツの一覧を、前記コンテンツ表示用メニュー領域にコンテンツの表示方法の一覧をそれぞれ表示させ、選択されたコンテンツ及び表示方法で前記コンテンツ表示領域にコンテンツを表示させる統括コンソールとを備えたことを特徴とする監視システム。
【請求項２】
前記コンテンツが、
監視システムの管理下にある複数の前記ネットワークカメラの撮影画像、前記画像記録装置に記録された画像、記録画像再生画面、カメラ操作画面、ログ一覧画面、若しくは、
稼動状況監視画面のいずれか１つ以上を含むものであることを特徴とする
請求項１記載の監視システム。
【請求項３】
前記コンテンツの表示方法が、
ライブ画像表示、巡回画像表示、カメラ操作画面表示、再生画像表示、ログ情報表示、若しくは、関連情報表示のいずれか１つ以上を含むものであることを特徴とする
請求項１記載の監視システム。
【請求項４】
前記統括コンソールが、
予め設定された周期に到達したと判断した場合に、複数の前記ネットワークカメラの何れかに画像取得要求を送信し画像を受信するまで待機するステップを有し、
監視システムの管理下にある複数の前記ネットワークカメラの全てから画像を取得するまで前記ステップを繰り返すことを特徴とする
請求項１記載の監視システム。
【請求項５】
前記統括コンソールが、
前記画像コンテンツ切替領域に表示可能な前記コンテンツをグループ分けして表示することを特徴とする
請求項１若しくは請求項２記載の監視システム。
【請求項６】
前記統括コンソールが、
前記グループに属する前記ネットワークカメラをツリー状に表示することを特徴とする
請求項５記載の監視システム。
【請求項７】
前記統括コンソールが、
グループ登録があった場合に指定された前記ネットワークカメラをひとつのグループとして登録し、
前記画像コンテンツ切替領域の表示を表示し直すことを特徴とする
請求項５若しくは請求項６記載の監視システム。
【請求項８】
前記統括コンソールが、
複数の前記コンテンツを前記コンテンツ表示領域内に分割表示させることを特徴とする
請求項１若しくは請求項２記載の監視システム。
【請求項９】
前記統括コンソールが、
イベント情報を前記画像記録装置から前記ログ管理装置を介して受信した場合に関連するネットワークカメラの画像の表示画面を強調表示することを特徴とする
請求項１若しくは請求項２記載の監視システム。
【請求項１０】
前記画像記録装置が、
接続されている前記センサが動作した場合には動作した前記センサに関連する前記ネットワークカメラの画像を記録し、
前記ネットワークを介して前記センサの動作通知を前記ログ管理装置に通知し、
前記イベント情報を併せて前記ログ管理装置に送信することを特徴とする
請求項９記載の監視システム。
【請求項１１】
前記ログ管理装置が、
前記ネットワークを介して前記動作通知を受信した場合に前記動作通知と共に受信した前記イベント情報をログとして保存して管理し、
前記ネットワークを介して前記統括コンソールに受信した前記イベント情報を転送することを特徴とする
請求項１０記載の監視システム。
【請求項１２】
前記統括コンソールが、
前記ネットワークを介して前記ログ管理装置から前記イベント情報を受信した場合に前記イベント情報に基づきイベントに関連するネットワークカメラを特定し、
特定したネットワークカメラに該当する表示画面を強調表示させることを特徴とする
請求項１１記載の監視システム。
【請求項１３】
前記イベント情報が、
イベントの発生日時、動作したセンサ名、関連するネットワークカメラ名を含むことを特徴とする
請求項９乃至請求項１２のいずれかに記載の監視システム。
【請求項１４】
前記統括コンソールが、
前記関連するネットワークカメラの画像の表示画面の周囲を枠で囲むことにより、表示画面の周囲を点滅表示させることにより、表示画面そのものを点滅表示させることにより、若しくは、表示画面の表示色を変更することにより強調表示させることを特徴とする
請求項９若しくは請求項１２記載の監視システム。
【発明の詳細な説明】
【技術分野】
【０００１】
本発明は、ネットワーク上に複数のネットワークカメラ、画像記録装置及びログ管理装置を分散配置して画像監視を行う監視システムに関し、特に分散配置された各装置の情報を一画面で把握可能で発生イベントを容易に認識することが可能な監視システムに関する。
【背景技術】
【０００２】
従来のネットワーク上に複数のネットワークカメラ、画像記録装置及びログ管理装置を分散配置して画像監視を行う監視システムに関連する先行技術文献としては次のようなものがある。
【０００３】
【特許文献１】特開平０７−０４９９５２号公報
【特許文献２】特開２００２−１５８９９５号公報
【特許文献３】特開２００２−２６８７８５号公報
【特許文献４】特開２００３−２２３６８９号公報
【０００４】
従来の監視システムはネットワーク上に複数のネットワークカメラ、画像記録装置及びログ管理装置等の各装置を分散配置して、中央監視室等に設置されたモニタ装置を用いてネットワークカメラで撮影され画像やログ管理装置に記録されているイベント情報等を取得して表示させることにより、例えば、侵入監視等の監視を行うものである。
【０００５】
図１４はこのような従来の監視システムの一例を示す構成ブロック図である。図１４において、１，２，３，５，６及び７はＷｅｂサーバ機能を有するネットワークカメラ、４及び８はＷｅｂサーバ機能の有し前記ネットワークカメラで撮影された画像を収集し記録する画像記録装置、９は侵入センサ等のセンサ、１０はＷｅｂサーバ機能を有し発生するイベントやシステム関連のログを管理するログ管理装置、１１は中央監視室等に設置されたモニタ装置、１００はＬＡＮ（Local Area Network）やインターネット等の汎用のネットワークである。
【０００６】
ネットワークカメラ１，２，３，５，６及び７は監視対象領域等に分散配置されると共にネットワーク１００に接続され、画像記録装置４及び８もまた分散配置されると共にネットワーク１００に接続される。
【０００７】
センサ９は画像記録装置８に接続され、ログ管理装置１０及びモニタ装置１１はネットワーク１００に接続される。
【０００８】
ここで、図１４に示す従来例を図１５及び図１６を用いて説明する。図１５はモニタ装置１１の動作を説明するフロー図、図１６はモニタ装置１１の表示画面の一例を示す説明図である。
【０００９】
図１５中”Ｓ００１”においてモニタ装置１１は、キーボードやマウス等の入力手段の操作により記録画像表示が選択されたか否かを判断し、もし、記録画像表示が選択されたと判断した場合には、図１５中”Ｓ００２”においてモニタ装置１１は、Ｗｅｂブラウザを用いて画像記録装置４若しくは画像記録装置８のＷｅｂサーバにアクセスして必要とする画像を表示させる。
【００１０】
もし、図１５中”Ｓ００１”において記録画像表示が選択されなかったと判断した場合には、図１５中”Ｓ００３”においてモニタ装置１１は、キーボードやマウス等の入力手段の操作によりカメラ操作が選択されたか否かを判断し、もし、カメラ操作が選択されたと判断した場合には、図１５中”Ｓ００４”においてモニタ装置１１は、Ｗｅｂブラウザを用いてネットワークカメラのＷｅｂサーバにアクセスして必要とする操作を行う。
【００１１】
もし、図１５中”Ｓ００３”においてカメラ操作が選択されなかったと判断した場合には、図１５中”Ｓ００５”においてモニタ装置１１は、キーボードやマウス等の入力手段の操作によりログ管理が選択されたか否かを判断し、もし、ログ管理が選択されたと判断した場合には、図１５中”Ｓ００６”においてモニタ装置１１は、Ｗｅｂブラウザを用いてログ管理装置１０のＷｅｂサーバにアクセスして必要とするログ情報を取得して表示させる。
【００１２】
例えば、図１６中”ＤＳ０１”に示すモニタ装置１１の表示画面上には図１６中”ＷＤ０１”に示す画像記録装置のＷｅｂサーバの画面、図１６中”ＷＤ０２”に示すネットワークカメラのＷｅｂサーバの画面及び図１６中”ＷＤ０３”に示すログ管理装置のＷｅｂサーバの画面が表示され、各画面上で必要な操作を行うことにより、記録画像の表示やカメラ操作等を行うことが可能になる。
【００１３】
この結果、ネットワーク上に分散配置される各装置にＷｅｂサーバ機能を持たせ、中央監視室当に設置されたモニタ装置１１からＷｅｂブラウザを用いてそれぞれのＷｅｂサーバにアクセスして必要な操作を行うことにより、分散配置された複数の装置を集中的に管理することが可能になる。
【発明の開示】
【発明が解決しようとする課題】
【００１４】
しかし、図１４に示すような従来例では、モニタ装置１１で必要な情報を取得するためには、Ｗｅｂブラウザを用いて該当する装置のＷｅｂサーバに個々にアクセスしなければならず、各装置のＵＲＬ（Uniform Resource Locator）を全て設定する等の煩雑な作業が必要なると共に各装置のＷｅｂサーバの画面を個々に確認しなければならないと言った問題点があった。
【００１５】
また、Ｗｅｂブラウザで表示した各々の情報は互いに関連していないので、例えば、センサ９でイベント等が発生した場合であっても、センサ９が接続されている画像記録装置８以外の情報を参照している場合には当該発生したイベントを認識することができないと言った問題点があった。
従って本発明が解決しようとする課題は、分散配置された各装置の情報を一画面で把握可能で発生イベントを容易に認識することが可能な監視システムを実現することにある。
【課題を解決するための手段】
【００１６】
このような課題を達成するために、本発明のうち請求項１記載の発明は、
ネットワーク上に複数のネットワークカメラ、画像記録装置及びログ管理装置を分散配置して画像監視を行う監視システムにおいて、
画像を撮影する複数のネットワークカメラと、複数のセンサが接続されると共に前記ネットワークカメラで撮影された画像を収集し記録する画像記録装置と、ログを管理するログ管理装置と、表示画面を画像コンテンツ切替領域、コンテンツ表示用メニュー領域及びコンテンツ表示領域の３つの領域に分割すると共に、前記画像コンテンツ切替領域に表示可能なコンテンツの一覧を、前記コンテンツ表示用メニュー領域にコンテンツの表示方法の一覧をそれぞれ表示させ、選択されたコンテンツ及び表示方法で前記コンテンツ表示領域にコンテンツを表示させる統括コンソールとを備えたことにより、分散配置された各装置の情報を一画面で把握することが可能になる。
【００１７】
請求項２記載の発明は、
請求項１記載の発明である監視システムにおいて、
前記コンテンツが、
監視システムの管理下にある複数の前記ネットワークカメラの撮影画像、前記画像記録装置に記録された画像、記録画像再生画面、カメラ操作画面、ログ一覧画面、若しくは、
稼動状況監視画面のいずれか１つ以上を含むものであることにより、分散配置された各装置の情報を一画面で把握することが可能になる。
【００１８】
請求項３記載の発明は、
請求項１記載の発明である監視システムにおいて、
前記コンテンツの表示方法が、
ライブ画像表示、巡回画像表示、カメラ操作画面表示、再生画像表示、ログ情報表示、若しくは、関連情報表示のいずれか１つ以上を含むものであることにより、分散配置された各装置の情報を一画面で把握することが可能になる。
【００１９】
請求項４記載の発明は、
請求項１記載の発明である監視システムにおいて、
前記統括コンソールが、
予め設定された周期に到達したと判断した場合に、複数の前記ネットワークカメラの何れかに画像取得要求を送信し画像を受信するまで待機するステップを有し、監視システムの管理下にある複数の前記ネットワークカメラの全てから画像を取得するまで前記ステップを繰り返すことにより、分散配置された各装置の情報を一画面で把握することが可能になる。
【００２０】
請求項５記載の発明は、
請求項１若しくは請求項２記載の発明である監視システムにおいて、
前記統括コンソールが、
前記画像コンテンツ切替領域に表示可能な前記コンテンツをグループ分けして表示することにより、分散配置された各装置の情報を一画面で把握することが可能になる。
【００２１】
請求項６記載の発明は、
請求項５記載の発明である監視システムにおいて、
前記統括コンソールが、
前記グループに属する前記ネットワークカメラをツリー状に表示することにより、分散配置された各装置の情報を一画面で把握することが可能になる。
【００２２】
請求項７記載の発明は、
請求項５若しくは請求項６記載の発明である監視システムにおいて、
前記統括コンソールが、
グループ登録があった場合に指定された前記ネットワークカメラをひとつのグループとして登録し、前記画像コンテンツ切替領域の表示を表示し直すことにより、分散配置された各装置の情報を一画面で把握することが可能になる。
【００２３】
請求項８記載の発明は、
請求項１若しくは請求項２記載の発明である監視システムにおいて、
前記統括コンソールが、
複数の前記コンテンツを前記コンテンツ表示領域内に分割表示させることにより、分散配置された各装置の情報を一画面で把握することが可能になる。
【００２４】
請求項９記載の発明は、
請求項１若しくは請求項２記載の発明である監視システムにおいて、
前記統括コンソールが、
イベント情報を前記画像記録装置から前記ログ管理装置を介して受信した場合に関連するネットワークカメラの画像の表示画面を強調表示することにより、発生イベントを容易に認識することが可能になる。
【００２５】
請求項１０記載の発明は、
請求項９記載の発明である監視システムにおいて、
前記画像記録装置が、
接続されている前記センサが動作した場合には動作した前記センサに関連する前記ネットワークカメラの画像を記録し、前記ネットワークを介して前記センサの動作通知を前記ログ管理装置に通知し、前記イベント情報を併せて前記ログ管理装置に送信することにより、発生イベントを容易に認識することが可能になる。
【００２６】
請求項１１記載の発明は、
請求項１０記載の発明である監視システムにおいて、
前記ログ管理装置が、
前記ネットワークを介して前記動作通知を受信した場合に前記動作通知と共に受信した前記イベント情報をログとして保存して管理し、前記ネットワークを介して前記統括コンソールに受信した前記イベント情報を転送することにより、発生イベントを容易に認識することが可能になる。
【００２７】
請求項１２記載の発明は、
請求項１１記載の発明である監視システムにおいて、
前記統括コンソールが、
前記ネットワークを介して前記ログ管理装置から前記イベント情報を受信した場合に前記イベント情報に基づきイベントに関連するネットワークカメラを特定し、特定したネットワークカメラに該当する表示画面を強調表示させることにより、発生イベントを容易に認識することが可能になる。
【００２８】
請求項１３記載の発明は、
請求項９乃至請求項１２のいずれかに記載の発明である監視システムにおいて、
前記イベント情報が、
イベントの発生日時、動作したセンサ名、関連するネットワークカメラ名を含むことにより、発生イベントを容易に認識することが可能になる。
【００２９】
請求項１４記載の発明は、
請求項９若しくは請求項１２記載の発明である監視システムにおいて、
前記統括コンソールが、
前記関連するネットワークカメラの画像の表示画面の周囲を枠で囲むことにより、表示画面の周囲を点滅表示させることにより、表示画面そのものを点滅表示させることにより、若しくは、表示画面の表示色を変更することにより強調表示させることにより、発生イベントを容易に認識することが可能になる。
【発明の効果】
【００３０】
本発明によれば次のような効果がある。
請求項１，２，３，４，５，６，７及び請求項８の発明によれば、統括コンソールが表示画面を画像コンテンツ切替領域、コンテンツ表示用メニュー領域及びコンテンツ表示領域の３つの領域に分割すると共に、画像コンテンツ切替領域に表示可能なコンテンツの一覧を、コンテンツ表示用メニュー領域にコンテンツの表示方法の一覧をそれぞれ表示させ、選択されたコンテンツ及び表示方法でコンテンツ表示領域にコンテンツを表示させることにより、分散配置された各装置の情報を一画面で把握することが可能になる。
【００３１】
また、請求項９，１０，１１，１２，１３及び請求項１４の発明によれば、統括コンソールがイベントの発生日時、動作したセンサ名、関連するネットワークカメラ名等のイベント情報を前記画像記録装置から前記ログ管理装置を介して受信した場合に関連するネットワークカメラの画像の表示画面を強調表示することにより、発生イベントを容易に認識することが可能になる。
【発明を実施するための最良の形態】
【００３２】
以下本発明を図面を用いて詳細に説明する。図１は本発明に係る監視システムの一実施例を示す構成ブロック図である。図１において、１２，１３，１４，１６，１７，１８はネットワークカメラ、１５及び１９は前記ネットワークカメラで撮影された画像を収集し記録する画像記録装置、２０は侵入センサ等のセンサ、２１は発生するイベントやシステム関連のログを管理するログ管理装置、２２は中央監視室等に設置された統括コンソール、１０１はＬＡＮやインターネット等の汎用のネットワークである。
【００３３】
ネットワークカメラ１２，１３，１４，１６，１７及び１８は監視対象領域等に分散配置されると共にネットワーク１０１に接続され、画像記録装置１５及び１９もまた分散配置されると共にネットワーク１０１に接続される。
【００３４】
センサ２０は画像記録装置１９に接続され、ログ管理装置２１及び統括コンソール２２はネットワーク１０１に接続される。
【００３５】
ここで、図１に示す実施例の動作を図２、図３及び図４を用いて説明する。図２は統括コンソール２２の画像取得の動作を説明するフロー図、図３は統括コンソール２２の画像表示の動作を説明するフロー図、図４は統括コンソール２２の表示画面の一例を示す説明図である。
【００３６】
まず第１に、図２中”Ｓ１０１”において統括コンソール２２は、予め設定された周期に到達したか否かを判断し、設定周期に到達したと判断した場合には、図２中”Ｓ１０２”において統括コンソール２２は、ネットワークカメラ１２，１３，１４，１６，１７，１８の何れかに画像取得要求を送信し図２中”Ｓ１０３”において画像を受信するまで待機する。
【００３７】
そして、図２中”Ｓ１０４”において統括コンソール２２は管理下にある全てのネットワークカメラから画像を取得したか否かを判断し、もし、管理下にある全てのネットワークカメラから画像を取得し終えていない場合には、図２中”Ｓ１０２”のステップに戻り、管理下にある全てのネットワークカメラから画像の取得を完了している場合には、図２中”Ｓ１０１”のステップに戻る。
【００３８】
このように複数のネットワークカメラから画像を取得した後、図３中”Ｓ２０１”において統括コンソール２２は、表示画面を３つの領域に分割する。
【００３９】
例えば、図４中”ＷＤ１１”に示すように統括コンソール２２は表示画面を、図４中”ＣＣ１１”に示す画像コンテンツ切替領域、図４中”ＣＭ１１”に示すコンテンツ表示用メニュー領域及び図４中”ＣＤ１１”に示すコンテンツ表示領域の３つの領域に分割する。
【００４０】
図３中”Ｓ２０２”において統括コンソール２２は、画像コンテンツ切替領域に表示可能なコンテンツの一覧を表示させる。
【００４１】
例えば、統括コンソール２２は、図４中”ＣＣ１１”に示す画像コンテンツ切替領域に、監視システムの管理下にあるネットワークカメラの撮影画像、画像記録装置に記録された画像、記録画像再生画面、カメラ操作画面、ログ一覧画面、稼動状況監視画面及びその他の画面等と言ったコンテンツの一覧を表示させる。
【００４２】
同様に、図３中”Ｓ２０３”において統括コンソール２２は、コンテンツ表示用メニュー領域に表示可能なコンテンツの表示方法の一覧を表示させる。
【００４３】
例えば、統括コンソール２２は、図４中”ＣＭ１１”に示すコンテンツ表示用メニュー領域に、ライブ画像表示、巡回画像表示、カメラ操作画面表示、再生画像表示、ログ情報表示及び関連情報表示等と言った選択したコンテンツの表示方法の一覧を表示させる。
【００４４】
そして、図３中”Ｓ２０４”において統括コンソール２２は、図４中”ＣＣ１１”に示す画像コンテンツ切替領域、或いは、図４中”ＣＭ１１”に示すコンテンツ表示用メニュー領域でコンテンツ或いは表示方法が選択されたか否かを判断する。
【００４５】
例えば、統括コンソール２２は、キーボードやマウス等の入力手段の操作によって上述のコンテンツの一覧から表示させたいコンテンツを選択されたか、或いは、コンテンツの表示方法が選択されたかを判断する。
【００４６】
もし、図３中”Ｓ２０４”においてコンテンツ等が選択されたと判断された場合には、図３中”Ｓ２０５”において統括コンソール２２は、選択されたコンテンツ或いは選択された表示方法で図４中”ＣＤ１１”に示すコンテンツ表示領域にコンテンツを表示させる。
【００４７】
一方、もし、図３中”Ｓ２０４”においてコンテンツ等が選択されていない判断された場合には、図３中”Ｓ２０６”において統括コンソール２２は、予め設定されている既定のコンテンツ及び表示方法で図４中”ＣＤ１１”に示すコンテンツ表示領域にコンテンツを表示させる。
【００４８】
この結果、統括コンソール２２が、表示画面を画像コンテンツ切替領域、コンテンツ表示用メニュー領域及びコンテンツ表示領域の３つの領域に分割すると共に、画像コンテンツ切替領域に表示可能なコンテンツの一覧を、コンテンツ表示用メニュー領域にコンテンツの表示方法の一覧をそれぞれ表示させ、選択されたコンテンツ及び表示方法でコンテンツ表示領域にコンテンツを表示させることにより、分散配置された各装置の情報を一画面で把握することが可能になる。
【００４９】
なお、図１に示す実施例の説明に際しては、図４中”ＣＣ１１”に示すコンテンツ切替領域には表示可能なコンテンツの一覧を表示させているが、コンテンツをグループ分けして表示しても勿論構わない。
【００５０】
図５はこのようなコンテンツのグループ分けをした場合の統括コンソール２２の表示画面の一例を示す説明図であり、コンテンツ切替領域には図５中”ＴＲ２１”に示すようなツリー状のコンテンツ一覧が表示される。
【００５１】
ここで、図５に示すようなコンテンツのグループ分けを図６及び図７を用いて説明する。図６は統括コンソール２２のグループ分けの動作を説明するフロー図、図７はツリー状のコンテンツ一覧の詳細を示す説明図である。
【００５２】
図１中のネットワークカメラ１２，１３及び１４を”グループ１”に、ネットワークカメラ１６，１７及び１８を”グループ２”にそれぞれグループ分けする場合を想定する。
【００５３】
図６中”Ｓ３０１”において統括コンソール２２は、グループ登録がなされたか否かを判断し、グループ登録があった場合には、図６中”Ｓ３０２”において統括コンソール２２は、指定されたネットワークカメラをひとつのグループとして登録すると共に図６中”Ｓ３０３”において画像コンテンツ切替領域の表示を表示し直す。
【００５４】
例えば、統括コンソール２２は、画像コンテンツ切替領域内に図７中”ＧＲ３１”及び”ＧＲ３２”に示すような”グループ１”及び”グループ２”を表示させると共に当該グループに属するネットワークカメラをツリー状に表示させる。
【００５５】
すなわち、図７中”ＧＲ３１”に示す”グループ１”の下には当該グループに属するネットワークカメラ１２，１３及び１４を図７中”ＣＭ３１”、”ＣＭ３２”及び”ＣＭ３３”に示すように表示させる。
【００５６】
同様に、図７中”ＧＲ３２”に示す”グループ２”の下には当該グループに属するネットワークカメラ１６，１７及び１８を図７中”ＣＭ３４”、”ＣＭ３５”及び”ＣＭ３６”に示すように表示させる。
【００５７】
また、図１に示す実施例ではコンテンツ表示領域に選択されたコンテンツを表示させる旨説明しているが、複数のコンテンツを当該コンテンツ表示領域内に分割表示させても勿論構わない。
【００５８】
例えば、図８はこのような９つのネットワークカメラで撮影した画像の分割表示の一例を示す説明図である。
【００５９】
すなわち、統括コンソール２２は、図８中”ＣＤ１１”に示すコンテンツ表示領域内に図８中”ＤＳ４１”、”ＤＳ４２”、”ＤＳ４３”、”ＤＳ４４”、”ＤＳ４５”、”ＤＳ４６”、”ＤＳ４７”、”ＤＳ４８”及び”ＤＳ４９”に示すような９つのネットワークカメラで撮影した画像分割表示させる。
【００６０】
また、図８に示すように単純に分割表示させるのではなく、分割表示をさせると共に予め設定されたグループ（例えば、図７で定義したようなネットワークカメラのグループ）間で表示（分割表示）を定周期で順次切り替える（巡回表示）ことにより、多数のネットワークカメラの画像表示を一定時間内に行うことが可能になる。
【００６１】
また、コンテンツ表示用メニュー領域で”カメラ操作画面表示”を選択することにより、統括コンソール２２の表示手段には図９に示すような表示画面が表示される。図９はカメラ操作画面表示による表示方法を選択した場合の表示画面の一例を示す説明図である。
【００６２】
すなわち、統括コンソール２２は、図９中”ＣＤ１１”に示すコンテンツ表示領域内に図９中”ＤＳ５１”に示すような或るネットワークカメラで撮影した画像を表示させると共に図９中”ＢＴ５１”若しくは”ＢＴ５２”に示すような各種操作ボタンやスイッチ等を表示させ、当該操作ボタン等を操作させることにより、ネットワークカメラのズーム、パン、チルト、画角等のパラメータを修正・変更等することが可能になる。
【００６３】
また、ここで、イベント発生に伴う監視システムの動作を図１０、図１１、図１２及び図１３を用いて詳細に説明する。図１０はイベントを検出するセンサ２０は接続された画像記録装置１９の動作を説明するフロー図、図１１はログ管理装置２１の動作を説明するフロー図、図１２は統括コンソール２２の動作を説明するフロー図、図１３は統括コンソール２２の表示画面の一例を示す説明図である。
【００６４】
図１０中”Ｓ４０１”において画像記録装置１９は、接続されているセンサ２０が動作したか否かを判断し、言い換えれば、イベントが発生したか否かを判断し、もし、センサ２０が動作している（イベント発生）と判断した場合には、図１０中”Ｓ４０２”において動作したセンサに関連するネットワークカメラの画像を記録する。
【００６５】
そして、図１０中”Ｓ４０３”において画像記録装置１９は、ネットワーク１０１を介してセンサの動作通知をログ管理装置２１に通知すると共に図１０中”Ｓ４０４”において当該イベントの発生日時、動作したセンサ名、関連するネットワークカメラ名等のイベント情報を併せてログ管理装置２１に送信する。
【００６６】
一方、図１１中”Ｓ５０１”においてログ管理装置２１は、ネットワーク１０１を介して画像記録装置１９からセンサの動作通知を受信したか否かを判断し、もし、センサの動作通知を受信した場合には、図１１中”Ｓ５０２”においてログ管理装置２１は、センサの動作通知と共に受信したイベント情報をログとして保存して管理する。
【００６７】
また、図１１中”Ｓ５０３”においてログ管理装置２１は、ネットワーク１０１を介して統括コンソール２２に受信したイベント情報を転送する。
【００６８】
そして、図１２中”Ｓ６０１”において統括コンソール２２は、ネットワーク１０１を介してログ管理装置２１からイベント情報を受信したか否かを判断し、もし、イベント情報を受信した場合には、図１２中”Ｓ６０２”において統括コンソール２２は、ログ管理装置２１から転送されてきたイベント情報に基づき当該イベントに関連するネットワークカメラを特定すると共に図１２中”Ｓ６０３”において特定したネットワークカメラに該当する表示画面を赤枠等で囲んで強調表示させる。
【００６９】
例えば、センサが図１３中”ＥＶ６１”に示すようなイベントの発生を検出し、当該イベントに関連するネットワークカメラの画像が図１３中”ＣＤ１１”に示すコンテンツ表示領域内の図１３中”ＤＳ６１”に示す表示画面に表示されていると統括コンソール２２が判断すれば、図１３中”ＥＭ６１”に示すように当該表示画面の周囲を赤枠で囲んで強調表示させる。
【００７０】
すなわち、センサが動作（イベントが発生）した場合に、センサが接続された画像記録装置１９がイベントの発生日時、動作したセンサ名、関連するネットワークカメラ名等のイベント情報をログ管理装置２１を介して統括コンソール２２に転送し、統括コンソール２２が関連するネットワークカメラの画像の表示画面を強調表示することにより、従来のセンサ２０が接続されている画像記録装置１９以外の情報を参照している場合には当該発生したイベントを認識することができないと言った問題が改善される。
【００７１】
この結果、統括コンソール２２が、イベントの発生日時、動作したセンサ名、関連するネットワークカメラ名等のイベント情報を前記画像記録装置から前記ログ管理装置を介して受信した場合に、関連するネットワークカメラの画像の表示画面を強調表示することにより、発生イベントを容易に認識することが可能になる。
【００７２】
また、図１３等に示す事例では発生イベントに関連するネットワークカメラの画像の表示画面の周囲を赤枠等で囲んで強調表示させているが、表示画面の周囲を点滅表示させたり、表示画面そのものを点滅表示させたり、表示画面の表示色を変更したりして強調表示させても勿論構わない。
【図面の簡単な説明】
【００７３】
【図１】本発明に係る監視システムの一実施例を示す構成ブロック図である。
【図２】統括コンソールの画像取得の動作を説明するフロー図である。
【図３】統括コンソールの画像表示の動作を説明するフロー図である。
【図４】統括コンソールの表示画面の一例を示す説明図である。
【図５】コンテンツのグループ分けをした場合の統括コンソールの表示画面の一例を示す説明図である。
【図６】統括コンソールのグループ分けの動作を説明するフロー図である。
【図７】ツリー状のコンテンツ一覧の詳細を示す説明図である。
【図８】９つのネットワークカメラで撮影した画像の分割表示の一例を示す説明図である。
【図９】カメラ操作画面表示による表示方法を選択した場合の表示画面の一例を示す説明図である。
【図１０】イベントを検出するセンサは接続された画像記録装置の動作を説明するフロー図である。
【図１１】ログ管理装置の動作を説明するフロー図である。
【図１２】統括コンソールの動作を説明するフロー図である。
【図１３】統括コンソールの表示画面の一例を示す説明図である。
【図１４】従来の監視システムの一例を示す構成ブロック図である。
【図１５】モニタ装置の動作を説明するフロー図である。
【図１６】モニタ装置の表示画面の一例を示す説明図である。
【符号の説明】
【００７４】
１，２，３，５，６，７、１２，１３，１４，１６，１７，１８  ネットワークカメラ
４，８，１５，１９  画像記録装置
９，２０  センサ
１０，２１  ログ管理装置
１１  モニタ装置
２２  統括コンソール
１００、１０１  ネットワーク
【図１】
2005129999.tif 000003
【図２】
2005129999.tif 000004
【図３】
2005129999.tif 000005
【図４】
2005129999.tif 000006
【図５】
2005129999.tif 000007
【図６】
2005129999.tif 000008
【図７】
2005129999.tif 000009
【図８】
2005129999.tif 000010
【図９】
2005129999.tif 000011
【図１０】
2005129999.tif 000012
【図１１】
2005129999.tif 000013
【図１２】
2005129999.tif 000014
【図１３】
2005129999.tif 000015
【図１４】
2005129999.tif 000016
【図１５】
2005129999.tif 000017
【図１６】
2005129999.tif 000018